(57)【要約】【課題】番組の延長放送にも対応でき、かつ、ユーザ所望の回数分のみ番組データの録画を行なうことのできる番組データ記録装置を提供すること。【解決手段】周期を特定するための周期特定情報、周期特定情報に基づく周期録画が何回目であるかを表わす録画回を特定するための回特定情報、通常録画時間の情報および１以上の特定回の延長時間の情報を含む管理情報に基づいて、番組データの周期録画を制御するための周期録画制御部１１０３を備える。周期録画制御部１１０３は、回特定情報に基づいて、録画回を判定するための録画回判定部３０１と、判定された録画回が最終回でない場合に、回特定情報が示す録画回を１回分更新するための更新部３０２と、判定された録画回が最終回である場合には、対応する管理情報を消去するための消去部３０３とを含む。また、周期録画制御部１１０３は、特定回においては、通常録画時間に特定回の延長時間加えた時間分、番組データの録画を行なう。【選択図】図２
2007150576.tif 000002
【特許請求の範囲】
【請求項１】
放送信号を受信するための受信手段と、
ユーザからの指示に基づき、周期録画予約情報を設定するための設定手段とを備え、
前記周期録画予約情報は、周期を特定するための周期特定情報、録画全回数情報、通常録画時間の情報、初回延長時間の情報および最終回延長時間の情報を含み、
前記設定手段により設定された前記周期録画予約情報と、前記周期特定情報に基づく周期録画が何回目であるかを表わす録画回を特定するための回特定情報とを対応付けて、管理情報として記憶するための記憶手段と、
前記記憶手段に記憶された前記管理情報に基づいて、前記番組データの周期録画を制御するための周期録画制御手段とをさらに備え、
前記周期録画制御手段は、
前記回数特定情報に基づいて、前記録画回を判定するための判定手段と、
判定された録画回が最終回でない場合に、前記回特定情報が示す録画回を１回分更新するための更新手段と、
前記判定された録画回が最終回である場合には、対応する前記管理情報を前記記憶手段から消去するための消去手段とを含み、
前記周期録画制御手段は、前記判定された録画回が初回である場合に、前記通常録画時間に前記最終回延長時間加えた時間分、前記番組データの録画を行ない、前記判定された録画回が最終回である場合には、前記通常録画時間に前記初回延長時間加えた時間分、前記番組データの録画を行なう、番組データ記録装置。
【請求項２】
放送信号を受信するための受信手段と、
前記放送信号に基づく番組データを周期的に録画するための管理情報を記憶するための記憶手段とを備え、
前記管理情報は、周期を特定するための周期特定情報、前記周期特定情報に基づく周期録画が何回目であるかを表わす録画回を特定するための回特定情報、通常録画時間の情報および１以上の特定回の延長時間の情報を含み、
前記記憶手段に記憶された前記管理情報に基づいて、前記番組データの周期録画を制御するための周期録画制御手段をさらに備え、
前記周期録画制御手段は、
前記回特定情報に基づいて、前記録画回を判定するための判定手段と、
判定された録画回が最終回でない場合に、前記回特定情報が示す録画回を１回分更新するための更新手段と、
前記判定された録画回が最終回である場合には、対応する前記管理情報を前記記憶手段から消去するための消去手段とを含み、
前記周期録画制御手段は、前記判定された録画回が特定回においては、前記通常録画時間に前記特定回の延長時間加えた時間分、前記番組データの録画を行なう、番組データ記録装置。
【請求項３】
前記１以上の特定回の延長時間の情報は、最終回延長時間の情報を含み、
前記周期録画制御手段は、前記判定された録画回が最終回である場合に、前記通常録画時間に前記最終回延長時間加えた時間分、前記番組データの録画を行なう、請求項２に記載の番組データ記録装置。
【請求項４】
前記１以上の特定回の延長時間の情報は、初回延長時間の情報を含み、
前記周期録画制御手段は、前記判定された録画回が初回である場合場合には、前記通常録画時間に前記初回延長時間加えた時間分、前記番組データの録画を行なう、請求項２または３に記載の番組データ記録装置。
【請求項５】
前記管理情報は、さらに録画全回数の情報を含み、
ユーザからの指示に基づき、前記周期特定情報、前記通常録画時間の情報、前記１以上の特定回の延長時間の情報および前記録画全回数の情報を設定するための設定手段をさらに備える、請求項２に記載の番組データ記録装置。
【請求項６】
前記回特定情報は、前記録画全回数の情報に対する残回数の情報であることが予め定められ、
前記判定手段は、前記回特定情報が示す値が、前記録画全回数の情報が示す値と等しい場合に、前記録画回は、初回であると判定し、前記回特定情報が示す値が１である場合には、前記録画回は、最終回であると判定し、
前記更新手段は、前記回特定情報が示す録画回を１回分減算する、請求項５に記載の番組データ記録装置。
【発明の詳細な説明】
【技術分野】
【０００１】
本発明は、番組データ記録装置に関し、特に、番組データの周期録画予約機能を有する番組データ記録装置に関する。
【背景技術】
【０００２】
従来より、番組データの周期録画予約機能を有する装置が存在する。このような装置によれば、ユーザは、番組データの録画忘れを防止することができる。
【０００３】
しかしながら、たとえば毎週月曜というような周期で特定の番組を録画しようとする場合、特定の番組の全ての放送が終了したとしても、予め定められた周期で番組の録画が係属して行なわれてしまう。
【０００４】
そこで、利用者が予め予約を実行する期間（たとえば何回といった回数や何月何日までといった日付等）を設定することのできる放送受信装置が開示されている（特許文献１参照）。
【０００５】
また、上述のような無用な録画がされてしまうことで、記録媒体の空き容量が不足してしまうことを防止する提案もなされている。たとえば特許文献２では、録画番組の最新録画分から何回分を保存し、それより古い録画分を自動的に消去するように設定することが開示されている。
【０００６】
また、周期的な録画を行なう時間を指定する場合、通常の録画時間より延長して放送されると、延長分録画できないという不都合が生じる場合がある。このような不都合を解消するために、たとえば特許文献３には、特定の番組またはシリーズ番組の録画開始および／または終了時刻に対して追加または減算する時間増分を指定することができ、視聴者は、番組が録画されている間に、番組の録画終了時刻を調整することができることが開示されている。
【特許文献１】特開２００３−３１９２７２号公報
【特許文献２】特開２０００−１３８８８６号公報
【特許文献３】特表２００３−５１８８３３号公報
【発明の開示】
【発明が解決しようとする課題】
【０００７】
特許文献１および２に開示された技術では、無用な録画を防止することができるが、番組の放送時間が延長された場合に、延長時間分も録画を継続することができない。また、特許文献２に開示された技術では、番組の録画終了時刻を調整することができるが、予め、特定の回の延長時間を設定しておくことができない。
【０００８】
本発明は、上記のような問題を解決するためになされたものであって、その目的は、番組の延長放送にも対応でき、かつ、ユーザ所望の回数分のみ番組データの録画を行なうことのできる番組データ記録装置を提供することである。
【課題を解決するための手段】
【０００９】
この発明のある局面に従う番組データ記録装置は、放送信号を受信するための受信手段と、ユーザからの指示に基づき、周期録画予約情報を設定するための設定手段とを備え、周期録画予約情報は、周期を特定するための周期特定情報、録画全回数情報、通常録画時間の情報、初回延長時間の情報および最終回延長時間の情報を含み、設定手段により設定された周期録画予約情報と、周期特定情報に基づく周期録画が何回目であるかを表わす録画回を特定するための回特定情報とを対応付けて、管理情報として記憶するための記憶手段と、記憶手段に記憶された管理情報に基づいて、番組データの周期録画を制御するための周期録画制御手段とをさらに備え、周期録画制御手段は、回数特定情報に基づいて、録画回を判定するための判定手段と、判定された録画回が最終回でない場合に、回特定情報が示す録画回を１回分更新するための更新手段と、判定された録画回が最終回である場合には、対応する管理情報を記憶手段から消去するための消去手段とを含み、周期録画制御手段は、判定された録画回が初回である場合に、通常録画時間に最終回延長時間加えた時間分、番組データの録画を行ない、判定された録画回が最終回である場合には、通常録画時間に初回延長時間加えた時間分、番組データの録画を行なう。
【００１０】
この発明の他の局面に従う番組データ記録装置は、放送信号を受信するための受信手段と、放送信号に基づく番組データを周期的に録画するための管理情報を記憶するための記憶手段とを備え、管理情報は、周期を特定するための周期特定情報、周期特定情報に基づく周期録画が何回目であるかを表わす録画回を特定するための回特定情報、通常録画時間の情報および１以上の特定回の延長時間の情報を含み、記憶手段に記憶された管理情報に基づいて、番組データの周期録画を制御するための周期録画制御手段をさらに備え、周期録画制御手段は、回特定情報に基づいて、録画回を判定するための判定手段と、判定された録画回が最終回でない場合に、回特定情報が示す録画回を１回分更新するための更新手段と、判定された録画回が最終回である場合には、対応する管理情報を記憶手段から消去するための消去手段とを含み、周期録画制御手段は、判定された録画回が特定回においては、通常録画時間に特定回の延長時間加えた時間分、番組データの録画を行なう。
【００１１】
好ましくは、１以上の特定回の延長時間の情報は、最終回延長時間の情報を含み、
好ましくは、周期録画制御手段は、判定された録画回が最終回である場合に、通常録画時間に最終回延長時間加えた時間分、番組データの録画を行なう。
【００１２】
好ましくは、１以上の特定回の延長時間の情報は、初回延長時間の情報を含み、周期録画制御手段は、判定された録画回が初回である場合場合には、通常録画時間に初回延長時間加えた時間分、番組データの録画を行なう。
【００１３】
好ましくは、管理情報は、さらに録画全回数の情報を含み、ユーザからの指示に基づき、周期特定情報、通常録画時間の情報、１以上の特定回の延長時間の情報および録画全回数の情報を設定するための設定手段をさらに備える。
【００１４】
好ましくは、回特定情報は、録画全回数の情報に対する残回数の情報であることが予め定められ、判定手段は、回特定情報が示す値が、録画全回数の情報が示す値と等しい場合に、録画回は、初回であると判定し、回特定情報が示す値が１である場合には、録画回は、最終回であると判定し、更新手段は、回特定情報が示す録画回を１回分減算する。
【発明の効果】
【００１５】
本発明によると、所望の番組データの全放送が終了した場合、自動的に周期録画予約情報を消去することができる。これにより、記録媒体の空き容量を増加させることができる。また、これに伴ない、空き容量不足により必要な番組が録画不能となることを防止することができる。
【００１６】
また、延長放送にも対応することができ、特定回における録画漏れを無くすことができる。
【発明を実施するための最良の形態】
【００１７】
本発明の実施の形態について図面を参照しながら詳細に説明する。なお、図中同一または相当部分には同一符号を付してその説明は繰返さない。
【００１８】
図１を参照して、本発明の実施の形態に係る番組データ記録装置の一態様であるＤＶＤレコーダ１００について説明する。図１は、ＤＶＤレコーダ１００のハードウェア構成を表わすブロック図である。
【００１９】
ＤＶＤレコーダ１００は、各種データおよびプログラムを格納するためのメモリ１１２と、格納されているデータおよび外部から入力される指示に基づいて予め定められた処理を実行するためのシステム制御部１１０と、外部からユーザの指示の入力を受付けるための操作部１２２と、リモコン信号を受信して所定の制御信号をシステム制御部１１０に出力するための受光部１２４と、時刻を計測して信号をシステム制御部１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダ１００における時刻情報、番組の記録状況等である。
【００２０】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御部１１０からの指示に基づいてデジタルデータを格納するためのハードディスク装置１４０と、ＤＶＤ１７２を駆動して映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが記録されるハードディスク１４４とを含む。
【００２１】
本実施の形態において、「番組データ」とは、チューナ１３０において受信される放送信号に基づく映像および／または音声データであり、“プログラム”に対応する一まとまりのデータである。
【００２２】
また、本実施の形態において、番組データは、ハードディスク装置１４０（ハードディスク１４４）に記録されるものとして説明する。なお、番組データの記録媒体はハードディスク装置１４０に限らず、たとえばＤＶＤ１７２など他の記録媒体であってもよい。また、ここでは、ハードディスク装置１４０とＤＶＤ駆動装置１７０との２つの駆動装置を備えた構成としたが、いずれか一方であってもよい。
【００２３】
図２は、本発明の実施の形態におけるＤＶＤレコーダ１００の機能ブロック図である。
図２を参照して、システム制御部１１０は、設定部１１０１と、周期録画予約管理データに基づき番組データの周期録画を制御するための周期録画制御部１１０３とを含む。
【００２４】
設定部１１０１は、ユーザからの指示に基づき、番組データの周期録画予約情報を設定する。周期録画予約情報とは、番組データの周期的な録画を予約するための情報であり、たとえば、周期を特定するための周期特定情報、録画全回数情報、通常録画時間の情報および１以上の特定回の延長時間の情報を含む。本実施の形態では、１以上の特定回の延長時間の情報として、初回および最終回それぞれの延長時間の情報を含むものとする。なお、１以上の特定回の延長時間の情報は、初回および最終回いずれか一方の延長時間の情報であってもよいし、他の回（たとえば第２回）の延長時間の情報であってもよい。また、初回および最終回それぞれの延長時間に加え、さらに、他の回の延長時間の情報が含まれてもよい。
【００２５】
上述のような周期録画予約情報は、たとえばハードディスク１４４に格納される。
ここで、本実施の形態におけるハードディスク１４４のデータ構造について説明する。ハードディスク１４４は、データ領域３１と管理領域３２とを含む。データ領域３１には、番組データが格納される。管理領域３２には、周期録画予約管理テーブル３２１および番組データ管理テーブル３２２が格納される。番組データ管理テーブル３２２には、データ領域３１に格納されている番組データそれぞれを管理するための番組データ管理データが含まれる。周期録画予約管理テーブル３２１の一例を図３に示す。
【００２６】
図３は、本発明の実施の形態における周期録画予約管理テーブル３２１の構造例を示す図である。図３を参照して、周期録画予約管理テーブル３２１は、周期録画予約管理データＡｉ（ｉ＝１、２、３、…、ｍ）を有する。周期録画予約管理データＡｉは、録画日時データＣ１、チャンネルデータＣ２、周期データＣ３、録画全回数データＣ４、初回延長時間データＣ５、最終回延長時間データＣ６および録画残回数データＣ７を含む。
【００２７】
なお、本実施の形態では、周期録画意外の通常の録画を自動で行なうための録画予約管理テーブル（図示せず）と周期録画予約管理テーブル３２１とが別に設けられることとして説明するが、それぞれの録画予約管理データが区別されることなく共通の管理テーブルで管理されてもよい。
【００２８】
録画日時データＣ１は、録画日付データと通常録画時間データとを含む。通常録画時間データとしては、たとえば、録画開始時刻および通常の録画終了時刻を含む。なお、通常録画時間データは、録画を実行する時間帯が特定できればよく、たとえば、録画開始時刻と通常の録画時間長とを含むものであってもよい。
【００２９】
本実施の形態では、ユーザにより周期録画予約が設定されると、１つの周期録画予約管理データＡｉが生成されるものとする。したがって、生成された周期録画予約管理データＡｉにおける録画日時データＣ１は、後述する周期データＣ３が示す周期に応じて更新される。
【００３０】
チャンネルデータＣ２は、番組データの提供先の放送局を特定するための情報である。
周期データＣ３は、予約の周期を特定するための周期特定情報であり、たとえば、周期が毎日であれば“０”、周期が毎週日曜であれば“１”、周期が毎週月曜であれば“２”といった数値が格納される。
【００３１】
録画全回数データＣ４は、周期録画を行なう合計回数を示すデータであり、上述のようにユーザからの指示に基づき設定される。なお、この録画全回数データＣ４は、たとえば、ＥＰＧ（Electric Program Guide）などにより番組データの全放送回数が取得可能である場合には、周期録画予約設定時に、自動で設定することとしてもよい。
【００３２】
初回延長時間データＣ５は、初回の放送分について、録画日時データＣ１に含まれる通常録画時間データに加算される時間を表わすデータである。
【００３３】
最終回延長時間データＣ６は、最終回の放送分について、録画日時データＣ１に含まれる通常録画時間データに加算されるの時間を表わすデータである。
【００３４】
録画残回数データＣ７は、周期データＣ３に基づく周期録画が何回目であるかを表わす録画回を特定するための回特定情報であり、たとえば、録画全回数に対する残りの回数（以下「録画残回数」という）を示す情報である。この録画残回数データＣ７は、周期録画予約設定時は、録画全回数データＣ４と同じ値が格納される。また、録画残回数データＣ７は、後述するように、たとえば録画が終了する度に、１だけデクリメントされる。
【００３５】
再び図２を参照して、周期録画制御部１１０３は、録画回を判定するための録画回判定部３０１と、録画回が最終回でない場合に、回特定情報が示す録画回を１回分更新するための更新部３０２と、録画回が最終回である場合には、対応する周期録画予約管理データＡｉを消去するための消去部３０３とを有する。
【００３６】
本実施の形態において、録画回判定部３０１は、録画残回数データＣ７に基づき録画残回数を判定する。更新部３０２は、録画開始時点において、録画残回数データＣ７の値が２以上である場合に、録画残回数データＣ７の値を１減算する。消去部３０３は、録画開始時点において、録画残回数データＣ７の値が１である場合に、実行中の周期録画に対応する周期録画予約管理データＡｉを消去する。
【００３７】
周期録画制御部１１０３は、計時回路１２６から出力される時刻データに基づき、番組データの周期録画を制御する。具体的には、録画回が初回である場合に、通常録画時間データが示す録画終了時刻に最終回延長時間データＣ６が示す時間加えた時間分、番組データの録画を行なう。また、録画回が最終回である場合には、通常録画時間が示す録画終了時刻に初回延長時間データＣ５が示す時間加えた時間分、番組データの録画を行なう。
【００３８】
なお、上記したように本実施の形態では、周期録画予約管理データＡｉに、回特定情報として、録画残回数データＣ７を格納させることとしたが、これに限定されず、録画回が特定できるデータであればよい。たとえば、録画済回数を格納させてもよい。この場合、録画回判定部３０１は、録画済回数が録画全回数より１つ少ない値であれば、最終回と判定し、録画済回数が０であれば、初回と判定することができる。
【００３９】
また、本実施の形態のように、録画全回数データＣ４と録画残回数データＣ７との両方のデータを格納することとしたが、録画残回数データＣ７のみを格納させて、録画が終了する度に録画残回数データＣ７の値を１ずつ減算させていってもよい。なお、この場合、初回の録画か否かが判定可能となるように、たとえば、録画が実行されたか否かを識別するための識別情報が格納されることが望ましい。
【００４０】
なお、上記した各機能ブロックの動作は、メモリ１１２中に格納されたソフトウェアを実行することで実現されてもよいし、少なくとも１つについては、ハードウェアで実現されてもよい。
【００４１】
図４は、本発明の実施の形態における周期録画予約設定処理を示すフローチャートである。図４のフローチャートに示す処理は、予めプログラムとしてメモリ１１２に格納されており、システム制御部１１０がこのプログラムを読み出して実行することにより実現される。
【００４２】
図４を参照して、はじめに、設定部１１０１は、周期録画予約設定画面を表示する（ステップＳ２）。周期録画予約設定画面の表示例を図５に示す。
【００４３】
図５を参照して、周期録画予約画面４２には、周期録画予約情報すなわち、周期、開始時刻、終了時刻、チャンネル、録画全回数、初回延長時間および最終回延長時間を入力するための領域が設けられる。そして、入力が完了したことを通知するための決定ボタン４１が設けられる。
【００４４】
次に、設定部１１０１は、受光部１２４からの信号に基づき、入力を受付ける（ステップＳ４）。そして、設定部１１０１は、決定ボタン４１が選択されたか否かを判断する（ステップＳ６）。決定ボタン４１が選択されるまで（ステップＳ６においてＮＯ）、周期録画予約情報の入力を受付ける。
【００４５】
ステップＳ６において、決定ボタン４１が選択されたと判断した場合（ステップＳ６においてＹＲＳ）、設定部１１０１は、周期録画予約管理テーブル３２１に、周期録画予約管理データＡｉを新規登録する（ステップＳ８）。
【００４６】
なお、周期録画予約情報のうち、録画全回数、初回延長時間および最終回延長時間の情報の入力は任意であってもよい。
【００４７】
図６は、本発明の実施の形態における周期予約録画処理を示すフローチャートである。図６のフローチャートに示す処理は、予めプログラムとしてメモリ１１２に格納されており、システム制御部１１０がこのプログラムを読み出して実行することにより、周期予約録画処理の機能が実現される。なお、「周期予約録画処理」とは、周期録画予約管理データＡｉに基づく周期録画の際に、周期録画制御部１１０３により実行される処理であるものとする。
【００４８】
図６を参照して、周期録画制御部１１０３は、対応の周期録画予約管理データＡｉに録画全回数が設定されているか否かを判断する（ステップＳ１０２）。録画全回数が設定されていると判断した場合（ステップＳ１０２においてＹＥＳ）、ステップＳ１０６に進む。一方、周期録画制御部１１０３は、録画全回数の設定がされていないと判断した場合（ステップＳ１０２においてＮＯ）、ステップＳ１２４に進む。
【００４９】
ステップＳ１０６において、録画回判定部３０１は、録画残回数データＣ７の値が１であるか否かを判断する。録画残回数データＣ７の値が１であると判断した場合（ステップＳ１０６においてＹＥＳ）、ステップＳ１１８に進む。一方、録画残回数データＣ７の値が１でないと判断した場合（ステップＳ１０６においてＮＯ）、ステップＳ１０８に進む。
【００５０】
ステップＳ１０８において、録画残回数データＣ７の値が録画全回数データＣ４の値と等しいか否かが判断される。録画残回数データＣ７の値が録画全回数データＣ４の値と等しくないと判断された場合（ステップＳ１０８においてＮＯ）、ステップＳ１１０に進む。一方、録画残回数データＣ４の値が録画全回数データＣ７の値と等しいと判断された場合（ステップＳ１０８においてＹＥＳ）、ステップＳ１１２に進む。
【００５１】
ステップＳ１１０において、周期録画制御部１１０３は、計時回路１２６から出力される時刻データに基づき、録画日時データＣ１に含まれる通常録画時間データが示す時間録画終了時刻を経過したか否かを判断する。録画終了時刻が経過するまで待機する（ステップＳ１１０においてＮＯ）。録画終了時刻を経過したと判断した場合（ステップＳ１１０においてＹＥＳ）、ステップＳ１１５に進む。
【００５２】
ステップＳ１１２において、周期録画制御部１１０３は、周期録画予約管理データにＡｉより初回延長時間データＣ５の値を読出す。そして、録画が開始されてから、録画終了時刻に初回延長時間を加算した時間が経過したか否かを判断する（ステップＳ１１４）。録画終了時刻に初回延長時間を加算した時間経過するまで待機する（ステップＳ１１４においてＮＯ）。録画終了時刻に初回延長時間を加算した時間経過したと判断した場合（ステップＳ１１４においてＹＥＳ）、ステップＳ１１５に進む。
【００５３】
ステップＳ１１５において、周期録画制御部１１０３は、録画を終了する。そして、更新部３０２は、周期録画予約管理データにＡｉの録画残回数データＣ７の値を１だけ減算する（ステップＳ１１６）。そして、周期データＣ３に応じて録画日時データＣ１が更新される（ステップＳ１１７）。ステップＳ１１７の処理が終わると、この周期予約録画処理は終了される。
【００５４】
ステップＳ１１８において、周期録画制御部１１０３は、録画予約管理データにＡｉより最終回延長時間データＣ６の値を読出す。そして、録画が開始されてから、録画終了時刻に最終回延長時間を加算した時間経過したか否かを判断する（ステップＳ１２０）。録画終了時刻に最終回延長時間を加算した時間経過するまで待機する（ステップＳ１２０においてＮＯ）。録画終了時刻に最終回延長時間を加算した時間経過したと判断した場合（ステップＳ１２０においてＹＥＳ）、周期録画制御部１１０３は、録画を終了する（ステップＳ１２１）。そして、消去部３０３は、対応の周期録画予約管理データＡｉを消去する（ステップＳ１２２）。ステップＳ１２２の処理が終わると、この周期予約録画処理は終了される。
【００５５】
ステップＳ１２４において、周期録画制御部１１０３は、所定の処理を実行して終了する。
【００５６】
このように、本発明の実施の形態によると、周期録画の録画回を管理するため、周期予約の消去忘れを防止することができる。これにより、無用に周期録画が継続されてしまうことを防止することができる。また、これにより、記録媒体の空き容量を増加させることができる。また、これに伴ない、空き容量不足により必要な番組が録画不能となることを防止することができる。
【００５７】
また、特定回の延長時間を設定しておくことで、たとえばドラマなど、特定の回に延長して放送されることが予め分かっている場合に、途中で録画が終わってしまうという不都合を解消することができる。とくに、近年では、初回と最終回との放送時間が延長されることが多いため有用である。
【００５８】
また、１以上の特定回の延長時間を周期録画予約の設定の際に同時に設定できるため、通常の録画時間の放送分と別に録画の予約をする必要がなくなり利便性を向上させることができる。
【００５９】
上記ＤＶＤ１７２の代わりに、プログラムを記録しているたとえば光学媒体等を駆動装置で読み出して、メモリ１１２のプログラムをアップデートすることもできる。
【００６０】
また、本発明の番組データ記録装置が行なう、周期予約録画方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００６１】
提供されるプログラム製品は、ハードディスクなどのプログラム格納部にインストールされて実行される。なお、プログラム製品は、プログラム自体と、プログラムが記録された記録媒体とを含む。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の実施の形態に係る番組データ記録装置の一態様であるＤＶＤレコーダのハードウェア構成を表わすブロック図である。
【図２】本発明の実施の形態におけるＤＶＤレコーダの機能ブロック図である。
【図３】本発明の実施の形態における周期録画予約管理テーブルの構造例を示す図である。
【図４】本発明の実施の形態における周期録画予約設定処理を示すフローチャートである。
【図５】周期録画予約設定画面の表示例を示す図である。
【図６】本発明の実施の形態における周期予約録画処理を示すフローチャートである。
【符号の説明】
【００６４】
１００  ＤＶＤレコーダ、１１０  システム制御部、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１９０  アンテナ、１９２  伝送ケーブル、３０１  録画回判定部、３０２  更新部、３０３  消去部、３２１  周期録画予約管理テーブル、３２２  番組データ管理テーブル、４００  テレビ、１１０１  設定部、１１０３  周期録画制御部。
【図１】
2007150576.tif 000003
【図２】
2007150576.tif 000004
【図３】
2007150576.tif 000005
【図４】
2007150576.tif 000006
【図５】
2007150576.tif 000007
【図６】
2007150576.tif 000008